(57)【要約】【課題】  メニュー操作に関して使い勝手がよく誤操作を抑止できるユーザインタフェイスをもった映像表示装置、映像出力装置および映像システム、ならびにメニュー画面表示制御方法を提供する。【解決手段】  映像表示装置１０に表示されているメニュー画面が、この映像表示装置１０およびこれに接続されている映像出力装置２０Ｘ，２０Ｙのうちのいずれの装置を対象とするメニュー画面であるかを判定し、表示中のメニュー画面が対象としていると判定された装置以外の装置をメニュー動作禁止状態に設定する。これにより、映像表示装置１０にメニュー画面が表示されていない装置に対する誤った操作を回避できる。【選択図】  図１
2010206525.tif 000002
【特許請求の範囲】
【請求項１】
映像表示装置に表示されているメニュー画面が、この映像表示装置およびこれに接続されている１以上の映像出力装置のうちのいずれの装置を対象とするメニュー画面であるかを判定する判定処理と、
表示中のメニュー画面が対象としていると判定された操作対象装置以外の非対象装置をメニュー動作禁止状態に設定する禁止処理と
を含むメニュー画面表示制御方法。
【請求項２】
前記表示中のメニュー画面が、前記映像表示装置を対象とするメニュー画面であると判定された場合に、すべての前記映像出力装置をメニュー動作禁止状態に設定する
請求項１に記載のメニュー画面表示制御方法。
【請求項３】
表示中の前記メニュー画面が、いずれかの前記映像出力装置を対象とするメニュー画面であると判定された場合に、他のすべての前記映像出力装置および前記映像表示装置をメニュー動作禁止状態に設定する
請求項１に記載のメニュー画面表示制御方法。
【請求項４】
前記非対象装置に対してメニュー操作が行われたときに、前記映像表示装置に警報を表示する
請求項１に記載のメニュー画面表示制御方法。
【請求項５】
前記非対象装置に対するメニュー操作が行われた場合において、その後、前記操作対象装置についてのメニュー画面の表示が終了した場合に、前記非対象装置をメニュー動作可能状態に設定する
請求項１または請求項４に記載のメニュー画面表示制御方法。
【請求項６】
前記映像表示装置に複数の映像出力装置が接続されている場合に、これらの複数の映像出力装置のうち入力機器として選択されていない映像出力装置をメニュー操作禁止状態にする一方、
一の映像出力装置から他の映像出力装置への入力切換えが行われた場合に、他の映像出力装置をメニュー動作可能状態に設定する
請求項１に記載のメニュー画面表示制御方法。
【請求項７】
前記映像表示装置と前記映像出力装置の各々との間をＨＤＭＩ（High Definition Multimedia interface）ケーブルにより接続してＣＥＣ（Consumer Electronics Control）コマンドを用いた双方向通信を行うことにより、前記判定処理および前記禁止処理を実行する
請求項１に記載のメニュー画面表示制御方法。
【請求項８】
表示部と、
前記表示部に表示されているメニュー画面が、自装置およびこれに接続されている１以上の映像出力装置のうちのいずれの装置を対象とするメニュー画面であるかを判定する判定部と、
前記表示中のメニュー画面が対象としていると判定された操作対象装置以外の非対象装置をメニュー動作禁止状態に設定するためのメニュー動作禁止コマンドを発行するコマンド発行部と
を備えた映像表示装置。
【請求項９】
映像表示装置との間で通信を行う通信部と、
前記通信部を介して前記映像表示装置からメニュー動作禁止コマンドを受け取ったとき、自装置をメニュー動作禁止状態に設定する制御部と
を備えた映像出力装置。
【請求項１０】
映像表示装置とこれに接続されている１以上の映像出力装置とを備え、
前記映像表示装置は、
表示部と、
前記表示部に表示されているメニュー画面が、自装置および前記１以上の映像出力装置のうちのいずれの装置を対象とするメニュー画面であるかを判定する判定部と、
前記表示中のメニュー画面が対象としていると判定された操作対象装置以外の非対象装置をメニュー動作禁止状態に設定するためのメニュー動作禁止コマンドを発行するコマンド発行部と
を有し、
前記映像出力装置は、
前記映像表示装置との間で通信を行う通信部と、
前記通信部を介して前記映像表示装置から前記メニュー動作禁止コマンドを受け取ったとき、自装置をメニュー動作禁止状態に設定する制御部と
を有する映像システム。
【発明の詳細な説明】
【技術分野】
【０００１】
本発明は、メニュー画面表示機能を有するテレビジョン受像機等の映像表示装置、そのような映像表示装置に接続されるレコーダ等の映像出力装置、およびそのような映像表示装置と映像出力装置とを含んで構築される映像システム、ならびにそのような映像システムに適用されるメニュー画面表示制御方法に関する。
【背景技術】
【０００２】
近年、薄型のテレビジョン受像機の普及に伴い、このようなテレビジョン受像機（映像表示装置）とレコーダ等の外部機器（映像出力装置）との連携を簡単かつスムースにするリンク機能が充実してきている。特に最近では、新世代ＤＶＤ（Digital Versatile Disc）レコーダの普及により、ハイビジョン放送をそのままの高画質で録画保存することが当たり前となりつつある。リンク機能はこれを非常に扱いやすくするための必須機能ともいえる。
【０００３】
上記のリンク機能の名称は各社によって様々であるが、その基本的な規格はＨＤＭＩ−ＣＥＣ（High Definition Multimedia Interface - Consumer Electronics Control ）である。これは、ＨＤＭＩケーブルを介してＣＥＣプロトコル準拠のコントロール信号を伝送し、機器間の連携動作を実現するものである。これにより、面倒なリモコンの持ち替えや複雑なボタン操作から解放され、簡単な操作で映像や音声を楽しむことができる。
【０００４】
ＨＤＭＩ−ＣＥＣの規格にはメーカ間で統一された共通コマンドを用いた基本的な機器間制御機能と、各メーカが自由に開発できる個有コマンドを用いた独自の機器間制御機能とがあるが、この種の技術に関して、いくつかの提案がなされている。
【０００５】
例えば、特許文献１には、映像出力装置と映像表示装置のメニュー表示に関する技術が開示されている。この技術では、映像出力装置のメニューが押された場合は、映像表示装置の入力切換をその映像出力装置にあわせ、その映像出力装置のメニュー画面を表示するようになっている。
【０００６】
また、特許文献２には、録画機器から映像表示装置へ録画済み番組に関する情報を転送することによって、映像表示装置の入力切換を録画機器へ合わせなくても録画済み番組を認識できるようにした技術が開示されている。
【０００７】
また、特許文献３には、ＣＥＣに対応していない外部機器を考慮した技術が開示されている。一般に、ＣＥＣを利用すれば機器間でどの機器がアクティブ状態なのかを把握することができるが、ＣＥＣ未対応の機器が存在すると、その機器は自分がアクティブ機器だと他機器へ通知できないため、その前にアクティブ機器と通知した他の機器が通信上のアクティブ機器となってしまう。それを解決するため、特許文献３の技術では、映像表示装置において入力切換をした際に、ＣＥＣ未対応機器がアクティブである旨を映像表示装置から他の機器に通知するようにしている。
【先行技術文献】
【特許文献】
【０００８】
【特許文献１】特開2008-92208号公報
【特許文献２】特開2008-78961号公報
【特許文献３】特開2008-54300号公報
【発明の概要】
【発明が解決しようとする課題】
【０００９】
一般にテレビジョン受像機等の映像表示装置は、複数の映像出力装置が接続可能な複数の入力端子を備えており、ユーザがそれらの複数の入力端子のいずれかを選択して使用するようになっている。各機器（映像表示装置や各映像出力装置）をそれぞれ操作する場合には、各機器ごとのメニュー画面を映像表示装置に表示させて、各メニュー画面上で対応する機器の操作を行うことが通例である。この場合には、映像表示装置に、映像表示装置自身のメニュー画面と共に映像出力装置のメニュー画面を同時に表示させる方法（Ａ）や、映像表示装置および複数の映像出力装置のうちのいずれか一つのメニュー画面のみを映像表示装置に表示させるという方法（Ｂ）が考えられる。
【００１０】
ところが、上記の方法（Ａ）では、映像出力装置のメニュー画面が映像表示装置のメニュー画面によって覆われて見えなくなってしまったり、あるいは、その逆の場合も考えられる。これを避けるためには、両者のメニュー画面が互いに重ならないようにすればよいが、両者のメニュー画面同士が似ている場合には、現在どちらの機器のメニュー画面が表示されているのか（現に設定変更操作をしている装置がどれなのか）分かりにくく、ユーザは混乱する。また、方法（Ｂ）においても、映像出力装置のメニュー画面と映像表示装置のメニュー画面とが互いに似ていると、現在どちらの機器のメニュー画面が表示されているのか分かりにくく、ユーザが勘違いをしたりして混乱する。この結果、ユーザは、映像表示装置にメニュー画面が表示されていない映像出力装置についてメニュー操作をしてしまうことがあり、意図しない操作（誤った設定）をしてしまうおそれがある。このようなユーザの混乱は、映像表示装置に複数の映像出力装置が接続されている場合にも生じ得るものである。すなわち、第１の映像出力装置のメニュー画面が映像表示装置に表示されているときに、これを誤って第２の映像出力装置のメニュー画面と勘違いして第２の映像出力装置のメニュー操作をしてしまうことも有り得る。
【００１１】
この点に関し、上記の特許文献１〜３では、機器間のメニュー画面の競合や調整について考慮がなされておらず、ユーザにとって必ずしも使い勝手が良いシステムではなかった。
【００１２】
本発明はかかる問題に鑑みてなされたもので、その目的は、メニュー操作に関して使い勝手がよく誤操作を抑止できるユーザインタフェイスをもった映像表示装置、映像出力装置および映像システム、ならびにそれらに適用されるメニュー画面表示制御方法を提供することにある。
【課題を解決するための手段】
【００１３】
本発明のメニュー画面表示制御方法は、映像表示装置に表示されているメニュー画面が、この映像表示装置およびこれに接続された映像出力装置のうちのいずれの装置を対象とするメニュー画面であるかを判定する判定処理と、表示中のメニュー画面が対象としていると判定された操作対象装置以外の非対象装置をメニュー動作禁止状態に設定する禁止処理とを含むものである。
【００１４】
本発明の映像表示装置は、表示部と、この表示部に表示されているメニュー画面が、自装置およびこれに接続された映像出力装置のうちのいずれの装置を対象とするメニュー画面であるかを判定する判定部と、表示中のメニュー画面が対象としていると判定された操作対象装置以外の非対象装置をメニュー動作禁止状態に設定するためのメニュー動作禁止コマンドを発行するコマンド発行部とを備えている。
【００１５】
本発明の映像出力装置は、映像表示装置との間で通信を行う通信部と、通信部を介して映像表示装置からメニュー動作禁止コマンドを受け取ったとき、自装置をメニュー動作禁止状態に設定する制御部とを備えている。
【００１６】
本発明の映像システムは、上記のような構成の映像表示装置と、これに接続された上記のような構成の映像出力装置とを備えている。
【００１７】
本発明の映像表示装置では、表示部に表示されているメニュー画面がいずれの装置を対象とするメニュー画面であるかの判定が行われ、判定された操作対象装置以外の非対象装置をメニュー動作禁止状態に設定するためのメニュー動作禁止コマンドが非対象装置に送られる。一方、本発明の映像出力装置では、映像表示装置からメニュー動作禁止コマンドを受け取ると、メニュー動作禁止状態に設定される。この結果、映像表示装置およびこれに接続された映像出力装置の相互間において、映像表示装置にメニュー画面を表示してメニュー操作をすることができる装置を唯一に制限するというメニュー操作排他制御が行われる。
【００１８】
本発明の映像システムおよびメニュー画面表示制御方法では、映像表示装置に表示中のメニュー画面がいずれの装置を対象とするメニュー画面であるかの判定が行われ、判定された操作対象装置以外の非対象装置がメニュー動作禁止状態に設定される。この結果、上記のようなメニュー操作排他制御が行われる。
【００１９】
具体的には、例えば、映像表示装置は、ユーザ操作により映像表示装置自身のメニュー画面を表示している間、その旨をメニュー動作禁止コマンドにより映像出力装置へ通知する。通知された映像出力装置は、映像表示装置がメニュー画面を表示していることを認識し、ユーザによって自己のメニュー操作キーが押下されても、自己のメニュー画面の表示および操作を禁止する。これにより、映像表示装置のメニューが表示されているときは、映像出力装置はメニュー画面の表示およびメニュー操作をすることはできない。
【００２０】
また、例えば、映像表示装置は、映像出力装置のメニュー画面を表示している間、ユーザによって自己のメニュー操作キーが押下されても、自己のメニュー画面の表示および操作を禁止する。これにより、映像出力装置のメニューが表示されているときは、映像表示装置はメニュー画面の表示およびメニュー操作が制限されることになる。
【００２１】
なお、ユーザ操作によって映像表示装置のメニュー画面が解除された場合には、映像表示装置から映像出力装置へメニュー画面解除を通知するようにすればよい。これによって、映像出力装置が映像表示装置にメニュー表示をすることが可能になる。映像表示装置がある映像出力装置のメニュー画面を表示している場合において、そのメニュー画面が解除された場合も同様である。また、映像表示装置に２以上の映像出力装置（例えば、第１および第２の映像出力装置）が接続されている場合には、入力機器として選択されていない映像出力装置をメニュー操作禁止状態にするのが好ましい。この場合において、例えば第１の映像出力装置から第２の映像出力装置への入力切換えが行われた場合には、これに連動して第２の映像出力装置をメニュー動作可能状態に移行させるのが好ましい。
【発明の効果】
【００２２】
本発明の映像システムまたはメニュー画面表示制御方法によれば、映像表示装置に表示されているメニュー画面がいずれの装置を対象とするメニュー画面であるかを判定し、表示中のメニュー画面が対象としていると判定された操作対象装置以外の非対象装置をメニュー動作禁止状態に設定することにより、メニュー画面を表示してメニュー操作をすることができる装置を唯一に制限するメニュー操作排他制御を行うようにしたので、ユーザの勘違いや混乱に基づく誤ったメニュー操作を防止することができ、使い勝手を良くすることができる。
【図面の簡単な説明】
【００２３】
【図１】本発明の一実施の形態の映像システムの概略構成を表すブロック図である。
【図２】図１に示した映像システムにおいて用いられるＣＥＣコマンドの一構成例を示す図である。
【図３】図１に示した映像システムの映像表示装置が有する論理アドレステーブルの一例を示す図である。
【図４】図１に示した映像システムの映像表示装置が有するアドレス対応テーブルの一例を示す図である。
【図５】図１に示した映像システムを簡略化して表した模式図である。
【図６】図１に示した映像システムの動作を説明するための流れ図である。
【図７】図６に続く動作を説明するための流れ図である。
【図８】図７に続く動作を説明するための流れ図である。
【図９】図８に続く動作を説明するための流れ図である。
【図１０】図１に示した映像システムにおける一動作状態を示す模式図である。
【図１１】図１に示した映像システムにおける他の動作状態を示す模式図である。
【図１２】図１に示した映像システムにおける、さらに他の動作状態を示す模式図である。
【図１３】図１に示した映像システムにおける、さらに他の動作状態を示す模式図である。
【図１４】図１に示した映像システムにおける、さらに他の動作状態を示す模式図である。
【図１５】図１に示した映像システムにおける、さらに他の動作状態を示す模式図である。
【図１６】図１に示した映像システムにおける、さらに他の動作状態を示す模式図である。
【図１７】図１に示した映像システムにおける、さらに他の動作状態を示す模式図である。
【図１８】図１に示した映像システムにおける、さらに他の動作状態を示す模式図である。
【図１９】図１に示した映像システムにおける、さらに他の動作状態を示す模式図である。
【図２０】図１に示した映像システムにおける、さらに他の動作状態を示す模式図である。
【図２１】図１に示した映像システムにおける、さらに他の動作状態を示す模式図である。
【発明を実施するための最良の形態】
【００２４】
以下、本発明を実施するための最良の形態（以下、単に実施の形態という。）について、図面を参照して詳細に説明する。
【００２５】
＜第１の実施の形態＞
図１は本発明の一実施の形態に係る映像システムの一構成例を表すものである。なお、本発明の一実施の形態に係る映像表示装置、映像出力装置およびメニュー画面表示制御方法は、この映像システムによって具現化されるので、以下、併せて説明する。
【００２６】
［システム構成］
この映像システムは、映像表示装置１０と、２つの映像出力装置２０Ｘ，２０Ｙとを含んでいる。映像表示装置１０は、例えばテレビジョン受像機として構成されたものである。映像出力装置２０Ｘ，２０Ｙは、例えば、ハードディスク、ＤＶＤ、ＢＤ（Blu-ray Disc）等の記録ドライブを内蔵したレコーダや、ビデオカメラ、あるいは外部チューナ等が該当する。
【００２７】
映像表示装置１０は、ＨＤＭＩ入力端子Ｔ１，Ｔ２と、ＨＤＭＩ制御部１０１と、表示制御部１０２と、表示部１０３と、チューナ部１０４とを備えている。
【００２８】
ＨＤＭＩ入力端子Ｔ１，Ｔ２は、ＨＤＭＩ−ＣＥＣ規格に準拠したコネクタを用いて構成されたものであり、それぞれに、外部機器としての映像出力装置２０Ｘ，２０Ｙが接続されている。ＨＤＭＩ制御部１０１は、後述するＣＰＵ１０６による制御の下で、ＨＤＭＩ入力端子Ｔ１，Ｔ２を介して、映像出力装置２０Ｘ，２０Ｙとの間でＨＤＭＩ−ＣＥＣ規格に準拠した送受信動作を行うようになっている。具体的には、ＨＤＭＩ制御部１０１は、例えば、ユーザからの操作によりＨＤＭＩ入力端子Ｔ１，Ｔ２（映像出力装置２０Ｘ，２０Ｙ）のいずれか一方を選択し、その選択された方の入力端子から入力された映像信号を表示制御部１０２に送るという制御を行う。なお、ＨＤＭＩ入力端子Ｔ１，Ｔ２とＨＤＭＩ制御部１０１との接続関係についての詳細は後述する。
【００２９】
表示制御部１０２は、ＨＤＭＩ制御部１０１またはチューナ部１０４から受け取った映像信号に基づいて表示部１０３に映像を表示させるための各種の画像処理や制御を行うものである。表示部１０３は、例えば液晶表示装置や有機ＥＬ（Electro Luminescence）等の表示デバイスを用いて構成され、その表示面に映像やメニュー画面を表示するようになっている。このメニュー画面には、自装置の動作をコントロールするためのメニュー画面（表示装置用メニュー画面）のほか、外部機器（映像出力装置２０Ｘ，２０Ｙ）の動作をコントロールするためのメニュー画面（外部機器用メニュー画面）も含まれる。
【００３０】
チューナ部１０４は、アンテナ３０で受信した放送波に対して所定の受信処理やデコード処理等を行うことにより、映像信号および音声信号等を復元生成し、その映像信号を表示制御部１０２に供給するようになっている。なお、図１では説明の簡略化のため、音声信号に関わる部分の図示を省略し、その説明も省略する。
【００３１】
映像表示装置１０はまた、ＣＰＵ１０６と、ＲＣ受信部１０７とを備えている。ＣＰＵ１０６は、この映像表示装置１０の主コントローラとして機能するものであり、ＨＤＭＩ入力端子Ｔ１，Ｔ２、ＨＤＭＩ制御部１０１およびＲＣ受信部１０７を制御するようになっている。ＣＰＵ１０６は、メモリ１０６Ｍを有し、ここに、後述する各種の制御データを格納するようになっている。ＲＣ（リモートコントロール）受信部１０７は、図示しないリモートコントロール装置からの制御信号を受信してＣＰＵ１０６に送るようになっている。ここで、ＣＰＵ１０６が本発明における「判定部」および「コマンド発行部」の一具体例に相当する。
【００３２】
ＨＤＭＩ入力端子Ｔ１，Ｔ２はそれぞれ、ＴＭＤＳ（Transition Minimized Differential Signaling ）端子と、ＤＤＣ（Display Data Channel）端子と、ＣＥＣ（Consumer Electronics Control）端子とを有する。ＨＤＭＩ入力端子Ｔ１，Ｔ２の各ＴＭＤＳ端子および各ＤＤＣ端子はＨＤＭＩ制御部１０１に接続され、各ＣＥＣ端子はＣＰＵ１０６に接続されている。ＨＤＭＩ入力端子Ｔ１，Ｔ２の各ＤＤＣ端子には、それぞれ、ＥＥＰＲＯＭ等の不揮発性メモリＭ１，Ｍ２が接続されている。これらの不揮発性メモリＭ１，Ｍ２には、それぞれ、ＨＤＭＩ入力端子Ｔ１，Ｔ２の物理アドレスが格納されている。ここでは、ＨＤＭＩ入力端子Ｔ１，Ｔ２の物理アドレスがそれぞれ、「１」，「２」に設定されているものとする。
【００３３】
ＴＭＤＳとは、ディスプレイとビデオカードとの間でデジタル映像信号を伝送するために利用される伝送方式の一つであり、「リンク」と呼ばれる単位に４本のチャネルがまとめられて使用される。映像信号Ｒ，Ｇ，Ｂに各１チャネル、クロック周波数を同期するための信号に１チャネルが割り当てられ、合計４チャネルである。
【００３４】
ＤＤＣとは、本来、ディスプレイとＰＣの間で各種情報（ディスプレイの許容解像度や色深度、走査周波数や製品の型番）を交換し、それによってPnP （プラグアンドプレイ）を実現しようとする規格のことである。これらの情報によって、ディスプレイの設定情報を引き継ぎ、各ディスプレイの性能に合わせて自動的に設定が行われるようにすることができる。
【００３５】
ＣＥＣとは、ＨＤＭＩで規格化されている機器制御信号と制御プロトコルのことであり、ＨＤＭＩケーブルを介してＣＥＣコマンドを伝送することにより、機器間の連携動作を実現するものである。なお、ＣＥＣコマンドについては後述する。
【００３６】
映像出力装置２０Ｙは、ＨＤＭＩ出力端子Ｔ０と、ＨＤＭＩ制御部２０１と、記録再生部２０２と、ＣＰＵ２０３と、ＲＣ受信部２０４とを備えている。ＨＤＭＩ出力端子Ｔ０は、ＨＤＭＩケーブル４０Ｙによって映像表示装置１０のＨＤＭＩ入力端子Ｔ２に接続されている。ＨＤＭＩケーブル４０Ｙは、ＴＭＤＳラインＬ１と、ＤＤＣラインＬ２と、ＣＥＣラインＬ３とを含み、これらの各ラインによって、ＨＤＭＩ入力端子Ｔ０およびＨＤＭＩ入力端子Ｔ２におけるＴＭＤＳ端子同士、ＤＤＣ端子同士およびＣＥＣ端子同士がそれぞれ接続されるようになっている。
【００３７】
ＴＭＤＳラインＬ１は、各外部接続機器（映像出力装置２０Ｘ，２０Ｙ）が映像表示装置１０に映像信号、音声信号および各種データを送るために用いられる。ここで、各種データには、ＳＰＤＩＦ（Source Product Descriptor Info Frame）が含まれる。ＤＤＣラインＬ２は、後述するように、映像出力装置２０Ｘ，２０Ｙが映像表示装置１０から自己の物理アドレスを取得する際に用いられる。ＣＥＣラインＬ３は、映像表示装置１０と映像出力装置２０Ｘ，２０Ｙとの間で、後述するＣＥＣコマンドを送受するために用いられる。
【００３８】
ＨＤＭＩ制御部２０１は、ＣＰＵ２０３による制御の下、ＨＤＭＩ入力端子Ｔ０を介して映像表示装置１０との間でＨＤＭＩ−ＣＥＣ規格に準拠した送受信動作を行うようになっている。具体的には、ＨＤＭＩ制御部２０１は、例えば、ユーザからの操作により記録再生部２０２から再生された映像信号をＨＤＭＩ出力端子Ｔ０を介して映像表示装置１０に送るという制御を行う。ここで、ＨＤＭＩ制御部２０１が本発明における「通信部」の一具体例に相当する。
【００３９】
記録再生部２０２は、ハードディスク、ＤＶＤ、ＢＤ等の記録ドライブである。ＣＰＵ２０３は、この映像出力装置２０Ｙの主コントローラとして機能するものであり、ＨＤＭＩ入力端子Ｔ０、ＨＤＭＩ制御部２０１およびＲＣ受信部２０４に接続されている。ＣＰＵ２０３は、メモリ２０３Ｍを有し、ここに各種の制御データを格納するようになっている。制御データとしては、例えば、映像表示装置１０のＨＤＭＩ入力端子Ｔ１，Ｔ２のうち自装置が接続された端子の物理アドレスを示すデータや、自装置に割り当てられた論理アドレスを示すデータ等がある。ＲＣ受信部２０４は、図示しないリモートコントロール装置からの制御信号を受信してＣＰＵ２０３に送るようになっている。ここで、ＣＰＵ２０３が本発明における「制御部」の一具体例に相当する。
【００４０】
映像出力装置２０Ｘもまた、映像出力装置２０Ｙと同様の構成を有している（図１では、構成要素の図示を省略）。映像出力装置２０ＸのＨＤＭＩ出力端子（図示せず）は、ＨＤＭＩケーブル４０Ｘによって映像表示装置１０のＨＤＭＩ入力端子Ｔ１に接続されている。
【００４１】
図２は、ＨＤＭＩケーブルのＣＥＣラインを介して送受信されるＣＥＣコマンド５０の一例を表すものである。ＣＥＣコマンド５０は、スタートビット５１、ヘッダブロック５２およびデータブロック５３を含む。スタートビット５１は、コマンドの始まりであることを示すビットである。
【００４２】
ヘッダブロック５２は、発行元（initiator ）アドレス５２Ａ、宛先（destination ）アドレス５２Ｂ、ＥＯＭ（end of message）ビット５２ＣおよびＡＣＫ（acknowledge ）ビット５２Ｄを含む。発行元アドレス５２Ａは、このコマンドを発行した装置の論理アドレスを示し、宛先アドレス５２Ｂはこのコマンドの送り先の装置の論理アドレスを示す。ＥＯＭビット５２Ｃは、メッセージの終わりを示すものである。ＡＣＫビット５２Ｄは、発行元から送信される際は必ず「１」になっており、それを受けた宛先のデバイスが、メッセージに応答する場合に「０」に設定するようになっている。
【００４３】
データブロック５３は、Ｏｐコード５３Ａおよびオペランド５３Ｂを含む。Ｏｐコード５３Ａは、ＣＥＣコマンド５０の内容を示すものであり、例えば、相手装置に対する指示や要求を示すものや、自装置の状態を通知するもの等、予めＨＤＭＩ−ＣＥＣ規格において定義されている共通コマンドを指定することができる。また、Ｏｐコード５３Ａとオペランド５３Ｂとの組み合わせにより、メーカ独自のオリジナルコマンドを指定することも可能である。本実施の形態では、オリジナルコマンドとして、例えば、メニュー表示コマンド、メニュー操作通知コマンド、メニュー動作禁止コマンドおよびメニュー解除コマンド等を用意している。メニュー表示コマンドは、映像出力装置が自己のメニュー画面の表示を映像表示装置に要求するためのコマンドであり、メニュー操作通知コマンドは、メニュー動作禁止状態にある映像出力装置が自己に対してユーザによるメニュー開始操作がなされたことを映像表示装置に通知するためのコマンドである。メニュー動作禁止コマンドは、映像表示装置が映像出力装置に対してメニュー操作を禁止させるためのコマンドであり、メニュー解除コマンドは、映像表示装置が映像出力装置に対してメニュー操作を許可するためのコマンドである。これらのコマンドを映像表示装置と映像出力装置との間で送受信することにより、機器相互間におけるメニュー操作排他制御を行うことができるようになっている。
【００４４】
図３は、この映像システムにおける論理アドレスへの機器割り当て示す論理アドレステーブルであり、映像表示装置１０のＣＰＵ１０６におけるメモリ１０６Ｍに格納されている。この例では、論理アドレス「０」にテレビジョン受像機が割り当てられ、論理アドレス「１」に記録装置Ｉが割り当てられ、論理アドレス「４」に再生装置Ｉが割り当てられている。
【００４５】
図４は、物理アドレスと論理アドレスとの対応関係を示すアドレス対応テーブルの一例を表すものであり、映像表示装置１０のＣＰＵ１０６におけるメモリ１０６Ｍに格納されている。この図に示した例では、物理アドレス「１」に対応して論理アドレス「４」が割り当てられ、物理アドレス「２」に対応して論理アドレス「１」が割り当てられている。映像表示装置１０のＣＰＵ１０６は、このアドレス対応テーブルと図３の論理アドレステーブルとを参照することにより、物理アドレス「１」のＨＤＭＩ入力端子Ｔ１に再生装置Ｉが接続され、物理アドレス「２」のＨＤＭＩ入力端子Ｔ２に記録装置Ｉが接続されていることを認識する。これにより、映像表示装置１０は、映像出力装置２０Ｘ，２０Ｙと連携した機器制御を行うことができるようになっている。
【００４６】
図５は、この映像システムを模式化して表すものであり、各装置については要部のみを図示し、他を省略している。ここに示した例では、映像表示装置１０はテレビジョン受像機であり、リモートコントロール装置ＲＣ１によってメニュー操作が可能になっている。映像出力装置２０Ｙはレコーダであり、リモートコントロール装置ＲＣ２によってメニュー操作が可能である。映像出力装置２０Ｘは、ビデオカメラであり、その一部に設けられた操作キー（図示せず）によってメニュー操作が可能になっている。
【００４７】
［動作］
次に、図６〜図２１を参照して、以上のような構成の映像システムの動作を説明する。ここで、図６〜図９は、映像表示装置１０と映像出力装置２０Ｘ，２０Ｙとの間のやりとりの一例を時系列に沿って表現したものであり、図１０〜図２１は、図６〜図９に示したやりとりの各時点における各装置の状態を模式的に簡略化して表すものである。なお、以下の説明において、各装置における動作の主体は、ＣＰＵ１０６、２０３である。
【００４８】
この映像システムでは、各装置が立ち上がると、映像出力装置２０Ｘ，２０Ｙはそれぞれ、映像表示装置１０のＨＤＭＩ入力端子Ｔ１，Ｔ２のうち、自分が接続されている側のＤＤＣ端子に接続された不揮発性メモリＭ１，Ｍ２からそれぞれ物理アドレスを読み取り、ＤＤＣラインＬ２を介して取得する（図６ステップＳ１０１，Ｓ１０２）。この物理アドレスは映像出力装置２０Ｘ，２０Ｙの各ＣＰＵ２０３内のメモリ２０３Ｍに格納される。
【００４９】
次に、映像出力装置２０Ｘ，２０Ｙは、図１０に示したように、ＣＥＣラインＬ３を介して自己の論理アドレスを取得する（ステップＳ１０３，Ｓ１０４）。この動作は次のような手順で行う。映像出力装置２０Ｘは、まず、論理アドレスの候補を、映像表示装置１０を介して他の映像出力装置２０Ｙに通知し、重複していなければ、その候補を自己の論理アドレスとして取得する。重複していた場合には、他の候補アドレスを映像出力装置２０Ｙに通知し、以下同様の処理を行う。
【００５０】
続いて、図１１に示したように、映像出力装置２０Ｘ，２０Ｙは、取得した論理アドレスと物理アドレスを、ＣＥＣラインＬ３経由で映像表示装置１０に通知する（ステップＳ１０５，Ｓ１０６）。この通知を受けた映像表示装置１０は、図３および図４に示したテーブルを参照することにより、どの入力端子にどのようなカテゴリーの機器が接続されているかを知ることができる。映像出力装置２０Ｘ，２０Ｙはまた、映像表示装置１０に対してＴＭＤＳラインＬ１を介してＳＰＤＩＦを送る（ステップＳ１０８，Ｓ１０９）。これにより、映像表示装置１０は映像出力装置２０Ｘ，２０Ｙがどのメーカの製品かを知ることができる（ステップＳ１１０）。なお、映像出力装置２０Ｘ，２０Ｙから送られてきた論理アドレス、物理アドレスおよびＳＰＤＩＦは、ＣＰＵ１０６のメモリ１０６Ｍに記憶される。以上で、映像出力装置２０Ｘ，２０Ｙの通信準備が完了する（ステップＳ１１１）。
【００５１】
映像表示装置１０は、入力切換状態およびメニュー画面表示状態を常時監視して、それぞれの状態判定を行う（図７ステップＳ２０１）。具体的には、入力切換がどの装置に設定されているか（選択されている入力端子がＨＤＭＩ入力端子Ｔ１，Ｔ２のいずれであるか）を判定すると共に、メニュー画面の表示の有無、表示されている場合にはいずれの装置についてのメニュー画面であるかを判定する。ここでは、既にＨＤＭＩ入力端子Ｔ１が選択されて映像出力装置２０Ｘからの出力映像が映像表示装置１０に表示されており、かつ、いずれの装置のメニュー画面も映像表示装置１０に表示されていないものとして説明する。なお、以下に説明する図１２〜図２１において、ＨＤＭＩ入力端子Ｔ１，Ｔ２に択一的に付したハッチングは、入力端子として選択されている側のＨＤＭＩ入力端子を表現している。
【００５２】
映像表示装置１０は、メモリ１０６Ｍを参照して、以下の２つの条件を判断し、その判断結果に基づいて、後述する操作を行う。
条件１：「この操作に対応する機器である」
条件２：「選択されている入力端子に接続された機器である」
ここで、条件１は、映像出力装置２０Ｘ，２０Ｙから受けたＳＰＤＩＦの情報から判断され、条件２は、映像出力装置２０Ｘ，２０Ｙから受けた論理アドレスと物理アドレスから判断される。
【００５３】
この判断の結果、映像表示装置１０は、図１２に示したように、選択されているＨＤＭＩ入力端子Ｔ１に接続された映像出力装置２０Ｘにメニュー解除コマンドを送出する（ステップＳ２０２）と共に、選択されていないＨＤＭＩ入力端子Ｔ２に接続された映像出力装置２０Ｙにメニュー動作禁止コマンドを送出する（ステップＳ２０３）。なお、この場合のメニュー解除コマンドは、ＣＥＣコマンド５０（図２）において、発行元５２Ａを映像表示装置１０（論理アドレス＝「０」）とし、宛先５２Ｂを映像出力装置２０Ｘ（論理アドレス＝「４」）とし、Ｏｐコード５３Ａを「ベンダーコマンド」とし、オペランド５３Ｂを「メニュー許可」としたものである。一方、メニュー動作禁止コマンドは、ＣＥＣコマンド５０（図２）において、発行元５２Ａを映像表示装置１０（論理アドレス＝「０」）とし、宛先５２Ｂを映像出力装置２０Ｙ（論理アドレス＝「１」）とし、Ｏｐコード５３Ａを「ベンダーコマンド」とし、オペランド５３Ｂを「メニュー禁止」としたものである。
【００５４】
図１２に示したように、メニュー解除コマンドを受信した映像出力装置２０Ｘは、メニュー動作可能状態に遷移する（ステップＳ２０４）一方、メニュー動作禁止コマンドを受信した映像出力装置２０Ｙは、メニュー動作禁止状態に遷移する（ステップＳ２０５）。映像表示装置１０はまた、メニュー画面が表示されていないという判定に基づき、自らをメニュー動作可能状態に設定する。なお、メニュー動作可能状態またはメニュー動作禁止状態への設定は、各装置内のＣＰＵ１０６，２０３のメモリ１０６Ｍ，２０３Ｍ内の状態フラグの設定により行われる。
【００５５】
ここで、メニュー動作可能状態とは、ユーザによる自装置に対するメニュー開始操作（メニューボタンの押下）に応じて自己のメニュー画面を映像表示装置１０に表示させると共に、その表示されたメニュー画面を通じて自装置に対する各種のユーザ操作を受け付けることができるモードである。一方、メニュー動作禁止状態とは、一切のメニュー動作が禁じられているモードであり、たとえユーザによるメニュー開始操作がなされても、自装置のメニュー画面が映像表示装置１０に表示されることがなく、かつ、自装置に対する各種のユーザ操作を受け付けないモードである。
【００５６】
この状態で、図１３に示したように、ユーザが映像出力装置Ｘのメニューボタンを押すと、映像出力装置Ｘは、映像表示装置１０に対して、ＣＥＣラインＬ３を介してメニュー表示コマンドを送ると共に、ＴＭＤＳラインＬ１を介してメニュー画面ＭＸのデータを送る（ステップＳ２０６）。この場合のメニュー表示コマンドは、ＣＥＣコマンド５０（図２）において、発行元５２Ａを映像出力装置２０Ｘ（論理アドレス＝「４」）とし、宛先５２Ｂを映像表示装置１０（論理アドレス＝「０」）とし、Ｏｐコード５３Ａを「ベンダーコマンド」とし、オペランド５３Ｂを「メニュー表示」としたものである。
【００５７】
映像表示装置１０は、映像出力装置２０Ｘからメニュー表示コマンドを受け取ると、図１３に示したように、映像出力装置２０Ｘを操作するためのメニュー画面ＭＸを表示すると共に、自らをメニュー動作禁止状態に遷移させる（ステップＳ２０７）。
【００５８】
ここで、図１４に示したように、ユーザが映像出力装置２０Ｙのメニューボタンを操作すると、映像出力装置２０Ｙは映像表示装置１０にＣＥＣラインＬ３を介してメニュー操作通知コマンドを送る（ステップＳ２０８）。この場合のメニュー操作通知コマンドは、ＣＥＣコマンド５０（図２）において、発行元５２Ａを映像出力装置２０Ｙ（論理アドレス＝「１」）とし、宛先５２Ｂを映像表示装置１０（論理アドレス＝「０」）とし、Ｏｐコード５３Ａを「ベンダーコマンド」とし、オペランド５３Ｂを「メニュー操作あり」としたものである。映像表示装置１０は、メニュー操作通知コマンドを受け取ると、メモリ１０６Ｍを参照して、映像出力装置２０Ｙが入力機器として選択されていない機器であると判断し、例えば次のような警告メッセージＷ１を表示する。
Ｗ１：「現在選択されていない機器を操作しています」
【００５９】
また、図１５に示したように、ユーザが映像表示装置１０のメニューボタンを操作すると、映像表示装置１０は、例えば次のような警告メッセージＷ２を表示する。
Ｗ２：「現在、映像出力装置２０Ｘのメニューを表示しています」
【００６０】
ユーザは、上記のような警告メッセージＷ１，Ｗ２を見ることにより、自分が現在行なっている操作が無効であることを認識することができる。さらに、ユーザがたとえこれらの警告メッセージを無視して操作を続行したとしても、映像出力装置２０Ｘ以外の機器はメニュー操作禁止状態になっているので、それらの装置（映像表示装置１０および映像出力装置２０Ｙ）のメニュー画面が非表示の状況下でそれらの装置に対する誤った操作が行われてしまうことが回避される。
【００６１】
ここで、図１６に示したように、ユーザが映像出力装置２０Ｘに対してメニュー画面終了操作を行なうと（図８ステップＳ３０１）、映像出力装置２０Ｘは映像表示装置１０にメニュー解除コマンドを送出する（ステップＳ３０２）。このメニュー解除コマンドを受けた映像表示装置１０は、メニュー画面ＭＸの表示を終了すると共に、自らをメニュー動作可能状態に遷移させる（ステップＳ３０３）。
【００６２】
この状態で、図１７に示したように、ユーザが映像表示装置１０のメニューボタンを操作すると（ステップＳ３０４）、映像表示装置１０は自らのメニュー画面ＭＤを表示する（ステップＳ３０５）と共に、映像出力装置２０Ｘに対してメニュー動作禁止コマンドを送出する（ステップＳ３０６）。これを受けた映像出力装置２０Ｘは、メニュー動作禁止状態に移行する（ステップＳ３０７）。ここで、図１８に示したように、ユーザが映像出力装置２０Ｘのメニューボタンを操作すると、映像出力装置２０Ｘは映像表示装置１０にメニュー操作通知コマンドを送出する（ステップＳ３０８）。これを受けた映像表示装置１０は、例えば次のような警告メッセージＷ３を表示する。
Ｗ３：「現在、映像出力装置１０のメニューを表示しています」
【００６３】
ユーザは、上記のような警告メッセージＷ３を見ることにより、自分が現在行なっている操作が映像表示装置１０以外の機器に対する操作であって無効であることを認識することができる。さらに、ユーザがたとえこれらの警告メッセージを無視して操作を続行したとしても、映像出力装置２０Ｘはメニュー操作禁止状態になっているので、この映像出力装置２０Ｘのメニュー画面が非表示の状況下でその装置に対する誤った操作が行われてしまうことが回避される。
【００６４】
この状態で、図１９に示したように、ユーザが映像表示装置１０に対してメニュー終了操作を行なうと（図９ステップＳ４０１）、映像表示装置１０は、メニュー画面ＭＤの表示を終了すると共に、映像出力装置２０Ｘにメニュー解除コマンドを送出する（ステップＳ４０２）。このメニュー解除コマンドを受けた映像出力装置２０Ｘは、自らをメニュー動作可能状態に復帰させる（ステップＳ４０３）。
【００６５】
ここで、図２０に示したように、ユーザが、映像表示装置１０の入力端子の選択を映像出力装置２０Ｘから映像出力装置２０Ｙに切り換える操作を行うと（ステップＳ４０４）、映像表示装置１０は、映像出力装置２０Ｙにメニュー解除コマンドを送出すると同時に（ステップＳ４０５）、映像出力装置２０Ｘにメニュー動作禁止コマンドを送出する（ステップＳ４０６）。これにより、映像出力装置２０Ｙがメニュー動作可能状態に遷移する（ステップＳ４０７）と共に、映像出力装置２０Ｘがメニュー動作禁止状態に遷移する（ステップＳ４０８）。これ以降、ユーザ操作に応じて映像出力装置２０Ｙのメニュー画面を映像表示装置１０に表示できる状態となる。
【００６６】
この状態で、図２１に示したように、ユーザが映像出力装置Ｙのメニューボタンを押すと、映像出力装置Ｙは、映像表示装置１０にメニュー表示コマンドとメニュー画面ＭＹのデータとを送る（ステップＳ４０９）。映像表示装置１０は、映像出力装置２０Ｙからメニュー表示コマンドとメニュー画面ＭＹのデータとを受け取ると、映像出力装置２０Ｙを操作するためのメニュー画面ＭＹを表示すると共に、自らをメニュー動作禁止状態に遷移させる（ステップＳ４１０）。
【００６７】
ここで、ユーザが映像出力装置２０Ｘのメニューボタンを操作すると、映像出力装置２０Ｘは映像表示装置１０にメニュー操作通知コマンドを送る（ステップＳ４１１）。これを受けた映像表示装置１０は、上記と同様の警告メッセージＷ１を表示する（ステップＳ４１２）。
Ｗ１：「現在選択されていない機器を操作しています」
【００６８】
また、ユーザが映像表示装置１０のメニューボタンを操作すると、映像表示装置１０は、例えば次のような警告メッセージＷ４を表示する。
Ｗ４：「現在、映像出力装置２０Ｙのメニューを表示しています」
【００６９】
ユーザは、上記のような警告メッセージＷ１，Ｗ４を見ることにより、自分が現在行なっている操作が無効であることを認識することができる。さらに、ユーザがたとえこれらの警告メッセージを無視して操作を続行したとしても、映像出力装置２０Ｙ以外の機器はメニュー操作禁止状態になっているので、それらの装置（映像表示装置１０および映像出力装置２０Ｘ）のメニュー画面が非表示の状況下でそれらの装置に対する誤った操作が行われてしまうことが回避される。
【００７０】
このように、本実施の形態の映像システムによれば、映像表示装置１０および映像出力装置２０Ｘ，２０Ｙの相互間において、メニュー画面を表示してメニュー操作をすることができる機器を唯一つに制限するメニュー操作排他制御を行うようにしたので、ユーザによる誤ったメニュー操作を防止することができる。
【００７１】
具体的には、例えば映像表示装置１０のメニュー画面が表示されている場合には、ユーザが映像出力装置２０Ｘ，２０Ｙのメニュー操作をするのを禁止するようにしたので、映像出力装置２０Ｘ，２０Ｙのメニュー画面が非表示であるにもかかわらず、表示中のメニュー画面が映像出力装置２０Ｘ，２０Ｙのメニュー画面であるとユーザが勘違いして、それらの映像出力装置に対する誤操作を行ってしまうという不都合を回避することができる。また、外部機器（映像出力装置２０Ｘ，２０Ｙ）のメニュー画面とテレビジョン受像機（映像表示装置１０）のメニュー画面とが同時に表示されることがなくなることから、ユーザの混乱や誤解を防止でき、結果として誤操作を防ぐことが可能となる。また、例えば、いずれかの映像出力装置のメニュー画面が表示されている場合には、ユーザが映像表示装置１０のメニュー操作をするのを禁止するようにしたので、映像表示装置１０のメニュー画面が非表示の状況下でこの映像表示装置１０に対する誤った操作が行われてしまうのを回避できる。さらに、映像表示装置１０における非選択の（映像表示対象でない）入力端子に接続された機器（映像出力装置２０Ｘまたは映像出力装置２０Ｙ）のメニュー操作を禁止するようにしたので、そのような非選択の機器（映像出力装置２０Ｘまたは映像出力装置２０Ｙ）に対する誤ったメニュー操作が行われてしまうのを回避できる。
【００７２】
また、メニュー動作禁止状態にある機器に対してユーザがメニュー操作をしようとした場合には、それぞれ適切な内容の警告メッセージを表示するようにしたので、ユーザの注意を喚起でき、誤解や混乱を速やかに解消することができる。
【００７３】
以上、実施の形態を挙げて本発明を説明したが、本発明は各実施の形態に限定されず、種々の変形が可能である。例えば、上記実施の形態では、映像表示装置がテレビジョン受像機の場合について説明したが、これに限定されず、映像表示装置がＰＣ（パーソナルコンピュータ）等の情報処理装置である場合にも適用可能である。
【００７４】
また、上記実施の形態では、映像表示装置に２台の映像出力装置が接続されている場合について説明したが、これに限られるものではなく、３台以上の映像出力装置が接続されている場合にも同様に適用可能である。
【００７５】
また、上記実施の形態では、映像表示装置と映像出力装置とを連携させるための通信手段をＨＤＭＩ−ＣＥＣ規格に準拠したＨＤＭＩケーブルおよび通信プロトコルにより行うようにしたが、これには限定されず、他の規格や方式に則ったものを利用するようにしてもよい。
【符号の説明】
【００７６】
１０…映像表示装置、２０Ｘ，２０Ｙ…映像出力装置、４０Ｘ，４０Ｙ…ＨＤＭＩケーブル、５０…ＣＥＣコマンド、１０１…ＨＤＭＩ制御部、１０２…表示制御部、１０３…表示部、１０４…チューナ部、１０６…ＣＰＵ、１０６Ｍ…メモリ、１０７…ＲＣ受信部、２０１…ＨＤＭＩ制御部、２０２…記録再生部、２０３…ＣＰＵ、２０３Ｍ…メモリ、２０４…ＲＣ受信部、Ｔ０…ＨＤＭＩ出力端子、Ｔ１，Ｔ２…ＨＤＭＩ入力端子、Ｍ１，Ｍ２…不揮発性メモリ、Ｌ１…ＴＭＤＳライン、Ｌ２…ＤＤＣライン、Ｌ３…ＣＥＣライン。
【図１】
2010206525.tif 000003
【図２】
2010206525.tif 000004
【図３】
2010206525.tif 000005
【図４】
2010206525.tif 000006
【図５】
2010206525.tif 000007
【図６】
2010206525.tif 000008
【図７】
2010206525.tif 000009
【図８】
2010206525.tif 000010
【図９】
2010206525.tif 000011
【図１０】
2010206525.tif 000012
【図１１】
2010206525.tif 000013
【図１２】
2010206525.tif 000014
【図１３】
2010206525.tif 000015
【図１４】
2010206525.tif 000016
【図１５】
2010206525.tif 000017
【図１６】
2010206525.tif 000018
【図１７】
2010206525.tif 000019
【図１８】
2010206525.tif 000020
【図１９】
2010206525.tif 000021
【図２０】
2010206525.tif 000022
【図２１】
2010206525.tif 000023